(57)【要約】  本発明の疲労抑制方法及び乗員支援装置は、車両および車両の周囲状況に関する車両情報に基づき、車両の乗員が疲労し易い状態であるか否かを判定し、乗員が疲労し易い状態であると判定された場合に、疲労抑制部を稼働させ、乗員の脳幹の活性化により乗員の疲労を抑制する。
2020008547.tif 000002
【特許請求の範囲】
【請求項１】
車両に搭載され、前記車両の乗員の脳幹の活性化により前記乗員の疲労を抑制する疲労抑制部と、
前記疲労抑制部を制御するコントローラと、
を備える乗員支援装置における疲労抑制方法であって、
前記車両および前記車両の周囲状況に関する車両情報を取得し、
前記車両情報に基づき、前記乗員が疲労し易い状態であるか否かを判定し、
前記乗員が疲労し易い状態であると判定された場合に、前記疲労抑制部を稼働させること
を特徴とする疲労抑制方法。
【請求項２】
請求項１に記載の疲労抑制方法であって、
所定時間以上継続して前記乗員が疲労し易い状態であると判定された場合に、前記疲労抑制部を稼働させること
を特徴とする疲労抑制方法。
【請求項３】
請求項１又は２に記載の疲労抑制方法であって、
前記乗員の身体的負荷を評価し、
前記身体的負荷が所定負荷以上である場合に、前記乗員が疲労し易い状態であると判定すること
を特徴とする疲労抑制方法。
【請求項４】
請求項３に記載の疲労抑制方法であって、
前記車両の移動速度が大きいほど、前記身体的負荷が大きいと評価すること
を特徴とする疲労抑制方法。
【請求項５】
請求項３又は４に記載の疲労抑制方法であって、
前記乗員支援装置は、前記車両の前方もしくは側方を撮像する撮像部を更に備え、
前記撮像部によって撮像した画像から、前記車両の前方もしくは側方の物体の移動速度を取得し、
前記車両の前方もしくは側方の物体の移動速度が大きいほど、前記身体的負荷が大きいと評価すること
を特徴とする疲労抑制方法。
【請求項６】
請求項３〜５のいずれか一項に記載の疲労抑制方法であって、
前記車両情報に基づいて、前記車両が走行している車線の車線幅を評価し、
評価した前記車線幅が狭いほど、前記身体的負荷が大きいと評価すること
を特徴とする疲労抑制方法。
【請求項７】
請求項６に記載の疲労抑制方法であって、
前記乗員支援装置は、道路情報として道路に対応した車線幅を少なくとも記憶する記憶部を更に備え、
前記車両情報に含まれる前記車両の位置情報に基づいて、前記車両が走行している前記道路を特定し、
前記記憶部を参照し、特定した前記道路に対応する前記道路情報を読み出すことで、前記車両が走行している前記車線の前記車線幅を取得すること
を特徴とする疲労抑制方法。
【請求項８】
請求項６に記載の疲労抑制方法であって、
前記車両と前記車両の側方の物体との間の距離を検出し、
検出した前記距離が小さいほど、前記車線幅が小さいと評価すること
を特徴とする疲労抑制方法。
【請求項９】
請求項３〜８のいずれか一項に記載の疲労抑制方法であって、
前記車両の外部の明度を検出し、
検出した前記明度が低いほど、前記身体的負荷が大きいと評価すること
を特徴とする疲労抑制方法。
【請求項１０】
請求項３〜９のいずれか一項に記載の疲労抑制方法であって、
前記車両が走行している車線の路面の滑りやすさを検出し、
前記路面が滑りやすいほど、前記身体的負荷が大きいと評価すること
を特徴とする疲労抑制方法。
【請求項１１】
請求項３〜１０のいずれか一項に記載の疲労抑制方法であって、
前記車両の前後方向、上下方向、左右方向の少なくとも一つの加速度を検出し、
検出した前記加速度が大きいほど、前記身体的負荷が大きいと評価すること
を特徴とする疲労抑制方法。
【請求項１２】
請求項３〜１１のいずれか一項に記載の疲労抑制方法であって、
前記車両が備える車輪の転舵角の変化速度を検出し、
検出した前記変化速度が大きいほど、前記身体的負荷が大きいと評価すること
を特徴とする疲労抑制方法。
【請求項１３】
請求項１〜１２のいずれか一項に記載の疲労抑制方法であって、
前記疲労抑制部は、人間の可聴音域よりも高い周波数の第１音波を前記乗員に対して出力する第１音波出力部を備え、
前記疲労抑制部により、前記第１音波を前記乗員に対して出力することで、前記乗員の脳幹の活性化を行うこと
を特徴とする疲労抑制方法。
【請求項１４】
請求項１３に記載の疲労抑制方法であって、
前記疲労抑制部は、更に、前記第１音波よりも低い周波数の第２音波を前記乗員に対して出力する第２音波出力部を備え、
前記疲労抑制部により、前記第１音波と前記第２音波を同時に前記乗員に対して出力することで、前記乗員の脳幹の活性化を行うこと
を特徴とする疲労抑制方法。
【請求項１５】
車両に搭載され、前記車両の乗員の脳幹の活性化により前記乗員の疲労を抑制する疲労抑制部と、
前記疲労抑制部を制御するコントローラと、
を備える乗員支援装置であって、
前記コントローラは、
前記車両および前記車両の周囲状況に関する車両情報を取得し、
前記車両情報に基づき、前記乗員が疲労し易い状態であるか否かを判定し、
前記乗員が疲労し易い状態であると判定された場合に、前記疲労抑制部を稼働させること
を特徴とする乗員支援装置。
【発明の詳細な説明】
【技術分野】
【０００１】
本発明は、疲労抑制方法及び乗員支援装置に関する。
【背景技術】
【０００２】
特許文献１には、可聴音と超高周波音を組み合わせたハイパーソニックサウンドを人間に印加して、人間の脳幹・視床・視床下部を含む基幹脳及び基幹脳ネットワーク系を活性化して脳活性化効果を導くための振動体が提案されている。
【先行技術文献】
【特許文献】
【０００３】
【特許文献１】特開２０１３−９９６１号公報
【発明の概要】
【発明が解決しようとする課題】
【０００４】
しかしながら、特許文献１に記載の技術は、ハイパーソニックサウンドを人間に印加し続けるものであるため、車両の乗員に対して使用する際に脳活性化効果が十分に得られない場合が生じうるという問題があった。【０００５】
本発明は、上記問題に鑑みてなされたものであり、その目的とするところは、車両の乗員が疲労し易い状況において、脳活性化効果を十分に得ることが可能な疲労抑制方法及び乗員支援装置を提供することにある。
【課題を解決するための手段】
【０００６】
上述した課題を解決するために、本発明の一態様に係る疲労抑制方法及び乗員支援装置によれば、車両および車両の周囲状況に関する車両情報に基づき、車両の乗員が疲労し易い状態であるか否かを判定し、乗員が疲労し易い状態であると判定された場合に、疲労抑制部を稼働させ、乗員の脳幹の活性化により乗員の疲労を抑制する。
【発明の効果】
【０００７】
本発明によれば、車両運転中に、乗員が疲労し易い状況が継続する場合であっても、脳活性化効果を十分に得ることができる。
【図面の簡単な説明】
【０００８】
【図１】図１は、本発明の一実施形態に係る乗員支援装置の構成を示すブロック図である。
【図２】図２は、本発明の一実施形態に係る乗員支援装置による疲労抑制処理の手順を示すフローチャートである。
【図３】図３は、ハイパーソニックサウンド法による疲労抑制の検証結果を示すグラフ図である。
【発明を実施するための形態】
【０００９】
次に、図面を参照して、本発明の実施の形態を詳細に説明する。説明において、同一のものには同一符号を付して重複説明を省略する。
【００１０】
［乗員支援装置の構成］
図１は、本実施形態に係る乗員支援装置の構成を示すブロック図である。図２は、本実施形態に係る乗員支援装置による疲労抑制処理の手順を示すフローチャートである。
【００１１】
図１に示すように、乗員支援装置１は、処理部１００（コントローラ）と、疲労抑制部５０とを、備えている。乗員支援装置１は、図示しない車両に搭載され、処理部１００は、当該車両に搭載された車載センサ９０、及び、疲労抑制部５０と通信可能なように接続される。
【００１２】
車載センサ９０は、車両に搭載された、レーザレーダやミリ波レーダ、カメラなど、車両の周囲に存在する物体を検出する物体検出センサなどからなる。車載センサ９０は、複数の異なる種類の物体検出センサを備えるものであってもよい。
【００１３】
車載センサ９０は、車両の周囲の環境を検出する。例えば、車載センサ９０は、他車両、バイク、自転車、歩行者を含む移動物体、及び停止車両を含む静止物体を検出し、移動物体及び静止物体の車両に対する位置、姿勢、大きさ、速度、加速度、減速度、ヨーレートなどを検出するものであってもよい。車載センサ９０は、検出結果として、例えば車両の上方の空中から眺めた天頂図（平面図ともいう）における、２次元の物体の挙動を出力するものであってもよい。また、車載センサ９０は、車両の周囲に存在する標識（道路標識や路面表示された標識）やガイドレール等を検出するものであってもよい。その他にも、車載センサ９０は、車両が備える車輪の回転速度や回転速度差を検出して、車両が走行している車線の路面の滑りやすさを検出するものであってもよい。
【００１４】
また、車載センサ９０は、車両の周囲の環境の他にも、車両の状態を検出する。例えば、車載センサ９０は、車両の移動速度（前後方向、左右方向の移動速度、旋回速度）や、車両が備える車輪の転舵角、転舵角の変化速度を検出するものであってもよい。
【００１５】
処理部１００は、車載センサ９０による検出結果に基づいて、疲労抑制部５０を制御する。
【００１６】
処理部１００（制御部またはコントローラの一例）は、ＣＰＵ（中央処理装置）、メモリ、及び入出力部を備える汎用のマイクロコンピュータである。処理部１００には、乗員支援装置の一部として機能させるためのコンピュータプログラム（乗員支援プログラム）がインストールされている。コンピュータプログラムを実行することにより、処理部１００は、乗員支援装置が備える複数の情報処理回路（１０、２０、３０）として機能する。
【００１７】
なお、ここでは、ソフトウェアによって運転支援装置が備える複数の情報処理回路（１０、２０、３０）を実現する例を示す。ただし、以下に示す各情報処理を実行するための専用のハードウェアを用意して、情報処理回路（１０、２０、３０）を構成することも可能である。また、複数の情報処理回路（１０、２０、３０）を個別のハードウェアにより構成してもよい。更に、情報処理回路（１０、２０、３０）は、車両にかかわる他の制御に用いる電子制御ユニット（ＥＣＵ）と兼用してもよい。
【００１８】
処理部１００は、複数の情報処理回路（１０、２０、３０）として、取得部１０と、負荷評価部２０と、環境判定部３０とを備える。
【００１９】
取得部１０は、車載センサ９０によって検出された車両情報（車両の周囲の環境に関する情報、及び、車両の状態に関する情報）のうち、乗員の身体的負荷の評価に必要な車両情報を抽出、又は、保存し、乗員の身体的負荷の評価に必要な車両情報を負荷評価部２０に送信する。
【００２０】
乗員の身体的負荷の評価に必要な情報として、例えば、車両の移動速度（前後方向、左右方向の移動速度、旋回速度）、車両の前方もしくは側方の物体の移動速度、車両が走行している車線の車線幅、車両の側方の物体との間の距離、車両の外部の明度、車両が走行している車線の路面の滑りやすさ、車両の前後方向の加速度、上下方向の加速度、左右方向の加速度、車両が備える車輪の転舵角の変化速度、などが挙げられる。
【００２１】
なお、取得部１０が負荷評価部２０に送信する車両情報は、上記に示した情報の一部であってもよいし、乗員の身体的負荷の評価に用いるものであれば、上記に示した情報に限定されない。
【００２２】
また、取得部１０が負荷評価部２０に送信する車両情報は、車載センサ９０によって取得した車両情報に限定されない。例えば、乗員支援装置１は、道路情報として道路に対応した車線幅を少なくとも記憶する記憶部を更に有するものであってもよく、取得部１０は、当該記憶部に記憶された道路情報に基づいて取得した、車両が走行している車線の車線幅を、負荷評価部２０に送信するものであってもよい。
【００２３】
より具体的には、取得部１０は、車両情報に含まれる車両の位置情報に基づいて、車両が走行している道路を特定し、記憶部を参照して、特定した道路に対応する道路情報を読み出すものであってもよい。道路情報を読み出すことにより、取得部１０は、特定した道路における、車両が走行している車線の車線幅を取得することができる。
【００２４】
負荷評価部２０は、取得部１０から送信された車両情報に基づき、乗員の身体的負荷を評価する。例えば、取得部１０から送信された車両情報に基づいて、乗員の身体的負荷の大きさの尺度となる評価値を算出する。評価値の算出方法は、１種類の方法を使用するものであってもよいし、複数種類の方法を使用して、異なる種類の、複数の評価値を算出するものであってもよい。乗員の身体的負荷の大きさの尺度となる評価値の算出方法については後述する。
【００２５】
環境判定部３０は、取得部１０から送信された車両情報、あるいは、負荷評価部２０によって算出された乗員の身体的負荷の大きさに基づいて、乗員が疲労し易い状態であるか否かを判定する。より具体的には、負荷評価部２０にて評価した身体的負荷が所定負荷以上である場合（あるいは算出した評価値が所定の閾値以上である場合）に、乗員が疲労し易い状態であると判定する。
【００２６】
なお、環境判定部３０は、負荷評価部２０にて評価した身体的負荷が所定負荷以上である場合（あるいは算出した評価値が所定の閾値以上である場合）が、所定時間以上継続する場合に、乗員が疲労し易い状態であると判定するものであってもよい。
【００２７】
ここで、判定に使用する所定時間は、乗員からの指示に基づいて決定されるものであってもよいし、乗員が運転する場合における手動運転の特性といった、乗員の個人差に合わせて決定されるものであってもよい。
【００２８】
さらに、負荷評価部２０にて複数の評価値が算出される場合、環境判定部３０は、複数の評価値のうちの一部または全部が所定の閾値を超えたことをもって、乗員が疲労し易い状態であると判定するものであってもよい。
【００２９】
または、複数の評価値を重みづけ平均して得られる平均評価値が所定の閾値を超えたことをもって、乗員が疲労し易い状態であると判定するものであってもよい。ここで、複数の評価値のうちの各評価値に対する重みづけは、乗員の身体的負荷と各評価値との間の相関関係の度合いに基づいて決定される。このように、複数の評価値を重みづけ平均して得られる平均評価値を用いることにより、乗員が疲労し易い状態であるか否かの判定をより正確に行うことができる。
【００３０】
疲労抑制部５０は、処理部１００からの指令に基づき、乗員の脳幹の活性化を引き起こす非侵襲的な方法を実行し、脳幹の活性化を介して乗員の疲労を抑制する。
【００３１】
疲労抑制部５０によって行う、乗員の脳幹の活性化をもたらす非侵襲的な方法としては、例えば、経頭蓋磁気刺激法（ＴＭＳ）、経頭蓋直流電気刺激法（ｔＤＣＳ）、経頭蓋的集束超音波法（ｔＦＵＳ）、ハイパーソニックサウンド法などによる方法が挙げられる。疲労抑制部５０は、これらの方法のうち少なくとも一つを用いて、乗員の脳幹の活性化を実現する。疲労抑制部５０は、これらの方法を組み合わせて、乗員の脳幹の活性化を実現するものであってもよい。
【００３２】
ここで、経頭蓋磁気刺激法（ＴＭＳ）とは、電磁石によって生み出される急激な磁場の変化によって脳の組織内に誘起される電流によって脳を刺激する方法である。経頭蓋直流電気刺激法（ｔＤＣＳ）とは、乗員の頭部、または脊髄神経に対して極めて微弱な直流電気を流して脳を刺激する方法である。経頭蓋的集束超音波法（ｔＦＵＳ）とは、脳内で収束する超音波を利用して、音圧によって脳を刺激する方法である。
【００３３】
また、ハイパーソニックサウンド法とは、人間の可聴音域よりも高い周波数の超音波（ハイパーソニックサウンド）を乗員に対して出力し、乗員の脳幹の活性化を実現する方法である。ハイパーソニックサウンド法によって出力されるハイパーソニックサウンドの好ましい周波数帯域は、少なくとも３２ｋＨｚ以上の周波数帯域であり、好ましくは４８ｋＨｚ以上の周波数帯域である。さらに、より好ましくは８０ｋＨｚ以上かつ８８ｋＨｚ以下の周波数帯域である。
【００３４】
ハイパーソニックサウンド法は、人間の可聴音域よりも高い周波数の超音波を出力可能なスピーカーなど、乗員に対して非接触な装置によって実現可能である点で、経頭蓋磁気刺激法（ＴＭＳ）、経頭蓋直流電気刺激法（ｔＤＣＳ）、経頭蓋的集束超音波法（ｔＦＵＳ）などと比較して優れている。また、ハイパーソニックサウンド法は、電場や磁場ではなく音波を利用するため、車載の周辺機器への影響が抑えられる点で優れている。
【００３５】
ハイパーソニックサウンド法によって脳幹の活性化が実現される原理には不明な点も多いが、都市の環境音に上述した周波数帯域にある超音波の成分がほとんど含まれないのに対し、熱帯雨林などの自然環境音には当該超音波の成分が多く含まれることから、ハイパーソニックサウンド法によって作り出される超音波によって自然環境音に近い状態が作り出され、その結果、都市生活で人間が受けているストレスが軽減されるといった形で、脳の活動状態に影響を及ぼしている可能性がある。実際、ハイパーソニックサウンド法による超音波を含む音を浴びた人間の脳内で血流量が増加するなどして、リラックス状態を示すとされるα波が脳波に現れるという効果が生じる。
【００３６】
以下、本実施形態では、疲労抑制部５０は、ハイパーソニックサウンド法を実行するものとして説明する。
【００３７】
図１に示すように、本実施形態において疲労抑制部５０は、人間の可聴音域よりも高い周波数の第１音波を発生可能な第１音波出力部５１を備えている。また、疲労抑制部５０は、第１音波よりも低い周波数の第２音波を乗員に対して出力する第２音波出力部５３を備えるものであってもよい。
【００３８】
なお、乗員支援装置１とは別途設けられる車載のスピーカーがハイパーソニックサウンド法で出力される超音波を出力可能なものであれば、当該スピーカーを第１音波出力部５１として使用するものであってもよい。
【００３９】
上述した第１音波出力部５１から出力される第１音波、及び、第２音波出力部５３から出力される第２音波は、それぞれ一つの周波数成分に限定されるものではなく、複数の周波数成分を含むものであってもよいし、さらには、第１音波及び第２音波の周波数成分のパターンが、時間変動するものであってもよい。
【００４０】
［負荷評価の方法］
次に、負荷評価部２０において実行する、乗員の身体的負荷の大きさの尺度となる評価値（以下、評価値）の算出方法については説明する。なお、負荷評価部２０は、以下で例示されるような算出方法を、少なくとも一つを実行する。また、負荷評価部２０は、複数の算出方法を実行するものであってもよい。
【００４１】
（第１算出方法）
「第１算出方法」として、負荷評価部２０は、車両の移動速度（前後方向、左右方向の移動速度、旋回速度）が大きいほど評価値を大きく算出する（すなわち、乗員の身体的負荷が大きいと評価する）。このように算出する理由は、車両の移動速度が大きいほど、乗員の視覚に入力される情報が増えることを考慮したからである。その結果、乗員は疲れやすくなることから、車両の移動速度が大きい状況は、乗員の身体的負荷が大きい状況であると考えられるためである。
【００４２】
具体的には、パラメータｘについての単調増加関数ｆ１（ｘ）を用意し、車両の移動速度の「大きさ」をパラメータｘに代入した際の単調増加関数ｆ１（ｘ）の値を評価値として採用する。
【００４３】
また、車両の移動速度が０以上の場合と、移動速度が負の場合とで、異なる単調増加関数ｆ１（ｘ）を用いて評価値を算出するものであってもよい。これは、移動速度が車両の前後方向の移動速度である場合に、車両を前進させる状況と、後進させる状況とでは、乗員が感じる身体的負荷の度合いも異なると考えられるからである。
【００４４】
さらに、単調増加関数ｆ１（ｘ）としては、種々の関数形を採用することが可能である。なお、単調増加関数ｆ１（ｘ）は、パラメータｘに応じて乗員が感じる身体的負荷の大きさを示すものであるため、パラメータｘが大きくなればなるほど、パラメータｘの単位増加量あたりの単調増加関数ｆ１（ｘ）の増加量は、小さくなると考えられる。これは、身体的ストレスについての限界効用逓減の性質を表すものである。
【００４５】
したがって、単調増加関数であって、パラメータｘについての２回微分が負の値になるような関数（例えば対数関数）を、単調増加関数ｆ１（ｘ）として採用してもよい。
【００４６】
（第２算出方法）
「第２算出方法」として、負荷評価部２０は、車両の前方もしくは側方の物体の移動速度が大きいほど、評価値を大きく算出する（すなわち、乗員の身体的負荷が大きいと評価する）。このように算出する理由は、車両の前方もしくは側方の物体の移動速度が大きいほど、乗員の視覚に入力される情報が増えることを考慮したからである。その結果、乗員は疲れやすくなることから、車両の前方もしくは側方の物体の移動速度が大きい状況は、乗員の身体的負荷が大きい状況であると考えられるためである。
【００４７】
具体的には、「第１算出方法」で説明した単調増加関数ｆ１（ｘ）と同様に、単調増加関数ｆ２（ｘ）を用意し、車両の前方もしくは側方の物体の移動速度の「大きさ」をパラメータｘに代入した際の単調増加関数ｆ２（ｘ）の値を評価値として採用する。
【００４８】
ここで、車両の前方もしくは側方の物体の移動速度を取得するため、車載センサ９０は撮像部を含む場合に、取得部１０は、撮像部によって撮像した画像から、車両の前方もしくは側方の物体の移動速度を取得するものであってもよい。撮像した画像から得られた、車両の前方もしくは側方の物体の移動速度は、取得部１０から負荷評価部２０に送信され、評価値の算出に用いられるものであってもよい。
【００４９】
また、車両の前方もしくは側方の物体の移動速度が０以上の場合と、負の場合とで、異なる単調増加関数ｆ２（ｘ）を用いて評価値を算出するものであってもよいし、さらには、単調増加関数ｆ２（ｘ）としては、種々の関数形を採用することが可能である。
【００５０】
（第３算出方法）
「第３算出方法」として、負荷評価部２０は、車両が走行している車線の車線幅が狭いほど、評価値を大きく算出する（すなわち、乗員の身体的負荷が大きいと評価する）。このように算出する理由は、車両が走行している車線の車線幅が狭いほど、乗員が単位時間当たりの処理すべき視覚情報が増加することを考慮したからである。特に、乗員が運転を行う場合には、乗員は隣接車線に対する警戒をする必要があるため、処理すべき視覚情報が増加する。その結果、乗員は疲れやすくなることから、車両が走行している車線の車線幅が狭い状況は、乗員の身体的負荷が大きい状況であると考えられるためである。
【００５１】
具体的には、パラメータｘについての単調減少関数ｇ１（ｘ）を用意し、車線の車線幅をパラメータｘに代入した際の単調減少関数ｇ１（ｘ）の値を評価値として採用する。
【００５２】
単調減少関数ｇ１（ｘ）としては、種々の関数形を採用することが可能である。車線幅が大きいほど、隣接車線を走行する車両との接触の可能性は低くなるため、乗員は比較的安心して過ごすことができることから、乗員の身体的負荷も小さくなる。
【００５３】
もっとも、車線幅が十分な大きさ以上になれば、乗員が感じる身体的負荷はそれほど変化しないものと考えられる。したがって、単調減少関数であって、パラメータｘの値が所定の値以上である場合に、一定の値に収束するような関数（例えば、パラメータｘに反比例する関数）を、単調減少関数ｇ１（ｘ）として採用してもよい。
【００５４】
なお、取得部１０において、車両情報に基づいて車両が走行している車線の車線幅を評価するものであってもよい。評価された車線の車線幅は、取得部１０から負荷評価部２０に送信され、評価値の算出に用いられるものであってもよい。
【００５５】
車両が走行している車線の車線幅を評価には、種々の方法が考えられる。例えば、取得部１０は、車両情報に含まれる車両の位置情報に基づいて、車両が走行している道路を特定し、道路情報として道路に対応した車線幅を少なくとも記憶する記憶部（図示なし）を参照して、特定した道路に対応する道路情報を読み出すものであってもよい。道路情報を読み出すことにより、取得部１０は、特定した道路における、車両が走行している車線の車線幅を取得することができる。
【００５６】
また、取得部１０は、車載センサ９０によって検出された、車両と車両の側方の物体との間の距離に基づき、当該距離が小さいほど、車線幅が小さいと評価するものであってもよい。
【００５７】
（第４算出方法）
「第４算出方法」として、負荷評価部２０は、車両の外部の明度が低いほど、評価値を大きく算出する（すなわち、乗員の身体的負荷が大きいと評価する）。このように算出する理由は、夜間など、車両の外部が暗い場合には、乗員の視覚に入力される情報量が減るため、車両を運転する乗員にとっては、より多くの視覚情報を得ようと注視するようになる傾向があることを考慮したからである。
【００５８】
具体的には、「第３算出方法」で説明した単調減少関数ｇ１（ｘ）と同様に、単調減少関数ｇ２（ｘ）を用意し、車両の外部の明度をパラメータｘに代入した際の単調減少関数ｇ２（ｘ）の値を評価値として採用する。単調減少関数ｇ２（ｘ）としては、種々の関数形を採用することが可能である。
【００５９】
（第５算出方法）
「第５算出方法」として、負荷評価部２０は、車両が走行している車線の路面の滑りやすさに基づいて、路面が滑りやすいほど、評価値を大きく算出する（すなわち、乗員の身体的負荷が大きいと評価する）。このように算出する理由は、路面が滑りやすいほど、乗員は車両の滑りに合わせて体勢を維持しようとし、三半規管などで体感する加速度や、平衡感覚、視覚情報をより多く取得しようとする傾向があることを考慮したからである。さらには、車両を運転する乗員にとっては、滑りやすい路面を走行する際には、安定した運転制御を保つために、三半規管などで体感する体感する加速度や、平衡感覚、視覚情報をより多く取得しようとする傾向があることを考慮したからである。
【００６０】
具体的には、「第１算出方法」で説明した単調増加関数ｆ１（ｘ）と同様に、単調増加関数ｆ３（ｘ）を用意し、車両が走行している車線の路面の滑りやすさを示す指標値をパラメータｘに代入した際の単調増加関数ｆ３（ｘ）の値を評価値として採用する。
【００６１】
路面の滑りやすさを示す指標値としては、例えば、車両が備える車輪の、車輪間での回転速度差や、車両外部の静止物体（信号機、交通標識など）との相対速度として得られる実際の車両の車速と車輪速度の間の速度差、などを用いることができる。その他、路面の状態（濡れた路面か否か、雪道であるか否か）などを数値化して得られる指標値を用いるものであってもよい。
【００６２】
（第６算出方法）
「第６算出方法」として、負荷評価部２０は、車両の前後方向、上下方向、左右方向の少なくとも一つの加速度に基づいて、当該加速度が大きいほど、評価値を大きく算出する（すなわち、乗員の身体的負荷が大きいと評価する）。このように算出する理由は、悪路や曲がりくねった道路を走行する場合には、三半規管などで体感する加速度と車両の動きとの間で偏差などが生じやすく、乗員は車酔いしやすいことを考慮したからである。
【００６３】
具体的には、「第１算出方法」で説明した単調増加関数ｆ１（ｘ）と同様に、単調増加関数ｆ４（ｘ）を用意し、車両の前後方向、上下方向、左右方向の少なくとも一つの加速度の大きさをパラメータｘに代入した際の単調増加関数ｆ４（ｘ）の値を評価値として採用する。
【００６４】
また、加速度の大きさをパラメータｘに代入する代わりに、加速度の変化率の大きさをパラメータｘに代入した際の単調増加関数ｆ４（ｘ）の値を評価値として採用してもよい。加速度の変化が大きいほど、乗員に作用する力が大きく変動していることを意味し、乗員の身体的負荷はそれだけ大きいと考えられるからである。
【００６５】
（第７算出方法）
「第７算出方法」として、負荷評価部２０は、車両が備える車輪の転舵角の変化速度が大きいほど、評価値を大きく算出する（すなわち、乗員の身体的負荷が大きいと評価する）。このように算出する理由は、悪路や曲がりくねった道路を走行する場合などで車両が備える車輪の転舵角の変化速度が大きい場合には、三半規管などで体感する加速度と車両の動きとの間で偏差などが生じやすく、乗員は車酔いしやすいことを考慮したからである。
【００６６】
「第６算出方法」の場合と同様に、単調増加関数ｆ５（ｘ）を用意し、車両が備える車輪の転舵角の変化速度の大きさをパラメータｘに代入した際の単調増加関数ｆ５（ｘ）の値を評価値として採用する。
【００６７】
［乗員支援装置の処理手順］
次に、本実施形態に係る乗員支援装置１による疲労抑制処理の手順を、図２のフローチャートを参照して説明する。
【００６８】
図２に示す処理は、車両のイグニッションがオンされると開始され、イグニッションがオンとなっている間、繰り返し実行される。又は、図示しない切り替えスイッチ等により、乗員から疲労抑制処理の実行が指定されると開始され、疲労抑制処理の実行が指定されている間、繰り返し実行される。
【００６９】
まず、ステップＳ１０１において、取得部１０は、車載センサ９０によって検出された車両情報を取得する。取得部１０は、車両情報を負荷評価部２０に送信する。
【００７０】
ステップＳ１０３において、負荷評価部２０は、取得部１０から送信された車両情報に基づき、乗員の身体的負荷を評価する。具体的には、乗員の身体的負荷の大きさの尺度となる評価値を算出する。
【００７１】
ステップＳ１０５において、環境判定部３０は、取得部１０から送信された車両情報、あるいは、負荷評価部２０によって算出された乗員の身体的負荷の大きさに基づいて、乗員が疲労し易い状態であるか否かを判定する。より具体的には、負荷評価部２０にて評価した身体的負荷が所定負荷以上である場合（あるいは算出した評価値が所定の閾値以上である場合）に、乗員が疲労し易い状態であると判定する。
【００７２】
ステップＳ１０７において、環境判定部３０は、疲労し易い状態が所定時間以上継続しているか否かを判定する。
【００７３】
具体的には、環境判定部３０は、内蔵されたタイマー等により、ステップＳ１０５にて疲労し易い状態ではないと判定された後、最初に疲労し易い状態であると判定されたタイミングからの時間を計測し、計測した時間が、所定時間以上であるか否かを判定する。
【００７４】
そして、疲労し易い状態が所定時間以上継続していると判定された場合（ステップＳ１０７でＹＥＳの場合）、ステップＳ１０９に進み、処理部１００は、疲労抑制部５０を起動させる。一方、疲労し易い状態が所定時間以上継続していると判定されない場合（ステップＳ１０７でＮＯの場合）、ステップＳ１１３に進み、処理部１００は、疲労抑制部５０を停止させる。
【００７５】
なお、ステップＳ１０７は省略されてもよい。ステップＳ１０７を省略する場合、ステップＳ１０５にて疲労し易い状態と判定された場合にステップＳ１０９に進み、それ以外の場合には、ステップＳ１１３に進む。
【００７６】
ステップＳ１０９、又は、ステップＳ１１３の処理を実行した後、図２のフローチャートは終了する。
【００７７】
［ハイパーソニックサウンドによる疲労抑制］
次に、疲労抑制部５０によって実行されるハイパーソニックサウンド法の効果について説明する。
【００７８】
ハイパーソニックサウンド法による疲労抑制の効果を検証するため、発明者らは、車両の乗員が置かれる環境を模すため、スピーカーによって発生させた車両音（車両走行時のロードノイズ）が存在する状況下の被験者に対し、二重タスク試験を行った。二重タスク試験として、被験者は、モニタ画面の中央に表示される数字を暗算で加算し続けていくというタスク（暗算タスク）を行いながら、同時に、モニタ画面の隅に配置したランプが点灯したらボタンを押すというタスク（点灯反応タスク）を行った。
【００７９】
発明者らは、スピーカーから車両音と超高周波音（超音波）を含まない可聴音であるダミーのハイパーソニックサウンドとを出力するパターンと、車両音と超高周波を含む音（超音波）であるハイパーソニックサウンド（ダミーのハイパーソニックサウンドにおける可聴音と超高周波音とで形成された音）とを出力するパターンの、２つのパターンにおいて、ランプが点灯してから被験者がボタンを押すまでのレスポンス時間を計測した。
【００８０】
なお、上記の二重タスクは、例えば、乗員が運転して車両の前方を注視しつつ、周辺視野で、車両の側方を注意したり、車両の走行に合わせて体勢を維持したりする状況に相当する。もしくは、車室内にいる乗員が、読書やインターネットをしている状況で、車両の走行に合わせて体勢を維持するような状況に相当する。
【００８１】
走行中の車両にいる乗員の疲労は、運転への集中以外にも、車両の運動に合わせて身体の平衡感覚を保とうとする脳幹の無意識的な働きによっても生じる。このように、乗員の疲労は、筋肉の疲労というよりも、むしろ脳の疲労というべきものである。
【００８２】
脳が疲労する結果、刺激に対する反応が遅れることが予想されるため、上記のような二重タスクにおいて、ハイパーソニックサウンドを出力する場合にレスポンス時間が短縮されることが確認できれば、疲労抑制の効果が生じていると結論できる。
【００８３】
発明者らは、複数の被験者（１２人）に対して、以下の条件での試験を行い、レスポンス時間を測定した。
【００８４】
各被験者に対して、脳神経反応に影響する被験者の疲労、睡眠、服薬、カフェイン取得状況等を確認するためのバックグラウンド・アンケートを行い、その後、所定の練習時間を与えて、暗算タスク及び点灯反応タスクに慣れてもらった。以上の準備が終わった後に、各被験者には上記の二重タスク（計９セット）を行ってもらった。なお、被験者間での差が生じないよう、アンケート、練習時間、二重タスクの実施条件には差が生じないよう注意した。
【００８５】
なお、二重タスク実施中の、ハイパーソニックサウンドの出力のタイミングに関しては、音を受容してから疲労抑制効果が得られるまで数分を要するため、二重タスクのセット開始の１分前から再生することとした。各被験者が行う複数セットの二重タスクのうち、いずれのセットでハイパーソニックサウンドを出力するかはランダムに設定した。そして、プラセボ効果を回避するため、どのセットでハイパーソニックサウンドが出力されるのかは被験者に伝えないこととした（単盲験法）。
【００８６】
図３は、ハイパーソニックサウンド法による疲労抑制の検証結果を示すグラフ図であり、二重タスク試験において得られたレスポンス時間について、複数の被験者の測定結果の平均をとったものである。
【００８７】
図３に示されるように、スピーカーから車両音とダミーのハイパーソニックサウンドとを出力するパターンでは、被験者のレスポンス時間はおおよそ７５０ｍｓｅｃ程度であった。一方、スピーカーから車両音とハイパーソニックサウンドの両方を出力するパターンでは、被験者のレスポンス時間はおおよそ７４０ｍｓｅｃ程度であった。したがって、ハイパーソニックサウンドの出力によって、１０数ｍｓｅｃ程度、レスポンス時間が短縮されることが確認された。
【００８８】
［ハイパーソニックサウンドによる疲労抑制と出力時間の関係］
上述の二重タスク試験の結果が示すように、ハイパーソニックサウンドの出力は乗員の疲労抑制の効果を生じさせる。しかしながら、乗員に対してハイパーソニックサウンドを常に出力し続けた場合、疲労抑制の効果は弱まる傾向がある。
【００８９】
この原因は不明であるが、ハイパーソニックサウンドを浴びた乗員の脳内での神経活動が活発化する結果、神経活動によって神経伝達物質が消費される量が増加し、長時間経過後には、神経伝達物質の細胞内での供給が、追いつかなくなってしまうことに一因がある可能性がある。
【００９０】
そのため、本発明の発明者らは、乗員に対してハイパーソニックサウンドを常に出力し続けるよりも、乗員が疲れ易い状況になったときにのみ、ハイパーソニックサウンドを出力することが有効であるという知見を得た。そこで、本実施形態の乗員支援装置１のように、車両情報に基づき、乗員が疲労し易い状態であるか否かを判定し、乗員が疲労し易い状態であると判定された場合に、疲労抑制部５０を稼働させる制御を行うことにしたのである。
【００９１】
［実施形態の効果］
以上詳細に説明したように、本実施形態に係る疲労抑制方法及び乗員支援装置によれば、車両および車両の周囲状況に関する車両情報を取得し、車両情報に基づき、乗員が疲労し易い状態であるか否かを判定し、乗員が疲労し易い状態であると判定された場合に、車両に搭載され、車両の乗員の脳幹の活性化により乗員の疲労を抑制する疲労抑制部を稼働させる。
【００９２】
これにより、乗員の疲れを抑制する必要があるタイミングにおいて、疲労抑制部を稼働させて乗員の脳幹を活性化するので、神経伝達物質の不足などに起因した疲労抑制効果の低下を防ぐことができる。さらには、乗員の疲れを抑制する必要がないタイミングでは、疲労抑制部を稼働させる必要がないため、不必要なタイミングでの乗員の脳幹の活性化が抑止され、代わりに、疲れ易い状況において、乗員はスムーズに外界の変化に対応できるようになる。結果として、乗員が車両に乗っている期間全体でみたときの、疲労抑制効果の低下を防止できる。
【００９３】
また、本実施形態に係る疲労抑制方法及び乗員支援装置によれば、所定時間以上継続して乗員が疲労し易い状態であると判定された場合に、疲労抑制部を稼働させるものであってもよい。疲労し易い状態が瞬間的であるような、所定時間未満しか継続しない場合には、そもそも、乗員の脳内での神経伝達物質の不足は発生しないと考えられる。そのため、疲労し易い状態が所定時間継続した場合に、疲労抑制部を稼働させることで、疲労抑制部の不必要な稼働を抑制することができる。その結果、疲労抑制効果の低下を防止できる。
【００９４】
さらに、本実施形態に係る疲労抑制方法及び乗員支援装置によれば、乗員の身体的負荷を評価し、身体的負荷が所定負荷以上である場合に、乗員が疲労し易い状態であると判定するものであってもよい。疲労抑制部を稼働させるための条件として、乗員の身体的負荷の大きさに着目し、身体的負荷を評価することで、疲労抑制部を稼働させるタイミングを正確に決定することができるため、疲労抑制部の不必要な稼働を抑制することができる。その結果、疲労抑制効果の低下を防止できる。
【００９５】
また、本実施形態に係る疲労抑制方法及び乗員支援装置によれば、車両の移動速度が大きいほど、身体的負荷が大きいと評価するものであってもよい。車両の移動速度が大きいほど、乗員の視覚に入力される情報が増え、乗員は疲れやすくなると考えられるため、車両の移動速度に基づいて身体的負荷を評価することにより、疲労抑制部を稼働させるタイミングを正確に決定することができる。
【００９６】
さらに、本実施形態に係る疲労抑制方法及び乗員支援装置によれば、車両の前方もしくは側方を撮像する撮像部によって撮像した画像から、車両の前方もしくは側方の物体の移動速度を取得し、車両の前方もしくは側方の物体の移動速度が大きいほど、身体的負荷が大きいと評価するものであってもよい。車両の前方もしくは側方の物体の移動速度が大きいほど、乗員の視覚に入力される情報が増え、乗員は疲れやすくなると考えられるため、物体の移動速度に基づいて身体的負荷を評価することにより、疲労抑制部を稼働させるタイミングを正確に決定することができる。
【００９７】
また、本実施形態に係る疲労抑制方法及び乗員支援装置によれば、車両情報に基づいて、車両が走行している車線の車線幅を評価し、評価した車線幅が狭いほど、身体的負荷が大きいと評価するものであってもよい。車両が走行している車線の車線幅が狭いほど、乗員が単位時間当たりの処理すべき視覚情報が増加し、乗員は疲れやすくなると考えられるため、車線幅に基づいて身体的負荷を評価することにより、疲労抑制部を稼働させるタイミングを正確に決定することができる。
【００９８】
さらに、本実施形態に係る疲労抑制方法及び乗員支援装置によれば、車両情報に含まれる車両の位置情報に基づいて、車両が走行している道路を特定し、道路情報として道路に対応した車線幅を少なくとも記憶する記憶部を参照して、特定した道路に対応する道路情報を読み出すことで、車両が走行している車線の車線幅を取得するものであってもよい。道路情報に基づいて車線幅を取得するため、正確な車線幅に基づいて身体的負荷を評価することができる。そして、疲労抑制部を稼働させるタイミングを正確に決定することができる。
【００９９】
また、本実施形態に係る疲労抑制方法及び乗員支援装置によれば、車両と車両の側方の物体との間の距離を検出し、検出した距離が小さいほど、車線幅が小さいと評価するものであってもよい。乗員は車両の側方の物体との距離を知覚して、当該距離が小さいほど乗員は緊張を増すため、乗員は車両の側方の物体との距離に基づくことにより、正確に乗員の身体的負荷を評価することができる、そして、疲労抑制部を稼働させるタイミングを正確に決定することができる。
【０１００】
さらに、本実施形態に係る疲労抑制方法及び乗員支援装置によれば、車両の外部の明度を検出し、検出した明度が低いほど、身体的負荷が大きいと評価することものであってもよい。車両の外部の明度が低いほど、乗員の視覚に入力される情報量が減るため、車両を運転する乗員にとっては、より多くの視覚情報を得ようと注視するようになる傾向があり、乗員は疲れやすくなると考えられる。
【０１０１】
したがって、車両の外部の明度に基づいて身体的負荷を評価することにより、疲労抑制部を稼働させるタイミングを正確に決定することができる。
【０１０２】
また、本実施形態に係る疲労抑制方法及び乗員支援装置によれば、車両が走行している車線の路面の滑りやすさを検出し、路面が滑りやすいほど、身体的負荷が大きいと評価するものであってもよい。路面が滑りやすいほど、乗員は車両の滑りに合わせて体勢を維持しようとし、三半規管などで体感する加速度や、平衡感覚、視覚情報をより多く取得しようとする傾向があり、乗員は疲れやすくなると考えられる。
【０１０３】
さらには、車両を運転する乗員にとっては、滑りやすい路面を走行する際には、安定した運転制御を保つために、三半規管などで体感する体感する加速度や、平衡感覚、視覚情報をより多く取得しようとする傾向があり、同様に、乗員は疲れやすくなると考えられる。
【０１０４】
したがって、車両が走行している車線の路面の滑りやすさに基づいて身体的負荷を評価することにより、疲労抑制部を稼働させるタイミングを正確に決定することができる。
【０１０５】
さらに、本実施形態に係る疲労抑制方法及び乗員支援装置によれば、車両の前後方向、上下方向、左右方向の少なくとも一つの加速度を検出し、検出した加速度が大きいほど、身体的負荷が大きいと評価するものであってもよい。悪路や曲がりくねった道路を走行する場合には、三半規管などで体感する加速度と車両の動きとの間で偏差などが生じやすく、乗員は車酔いしやすい。そのため、乗員は疲れやすくなると考えられる。
【０１０６】
したがって、車両の前後方向、上下方向、左右方向の少なくとも一つの加速度に基づいて身体的負荷を評価することにより、疲労抑制部を稼働させるタイミングを正確に決定することができる。
【０１０７】
また、本実施形態に係る疲労抑制方法及び乗員支援装置によれば、車両が備える車輪の転舵角の変化速度を検出し、検出した変化速度が大きいほど、身体的負荷が大きいと評価するものであってもよい。車両が備える車輪の転舵角の変化速度が大きい場合には、三半規管などで体感する加速度と車両の動きとの間で偏差などが生じやすく、乗員は車酔いしやすい。そのため、乗員は疲れやすくなると考えられる。
【０１０８】
したがって、車両が備える車輪の転舵角の変化速度に基づいて身体的負荷を評価することにより、疲労抑制部を稼働させるタイミングを正確に決定することができる。
【０１０９】
さらに、本実施形態に係る疲労抑制方法及び乗員支援装置によれば、疲労抑制部は、人間の可聴音域よりも高い周波数の第１音波を乗員に対して出力する第１音波出力部を備え、疲労抑制部により、第１音波を乗員に対して出力することで、乗員の脳幹の活性化を行うものであってもよい。電場や磁場ではなく、人間の可聴音域よりも高い周波数の第１音波によって乗員の脳幹の活性化を行うため、乗員に対して接触した状態で設ける別途の機器を用意する必要がなく、さらには、車載の周辺機器への影響を抑えることができる。
【０１１０】
また、本実施形態に係る疲労抑制方法及び乗員支援装置によれば、疲労抑制部は、更に、第１音波よりも低い周波数の第２音波を乗員に対して出力する第２音波出力部を備え、  疲労抑制部により、第１音波と第２音波を同時に乗員に対して出力することで、乗員の脳幹の活性化を行うものであってもよい。
【０１１１】
第１音波と第２音波を同時に出力することで、人間の可聴音域よりも高い周波数が有するエネルギースペクトルと、人間の可聴音域の周波数が有するエネルギースペクトルの比を調整することができ、車室内の音環境を、より自然環境音に近い状態にすることができる。その結果、乗員のストレス軽減につなげることができ、疲労抑制の効果を増大させることができる。
【０１１２】
以上、実施形態に沿って本発明の内容を説明したが、本発明はこれらの記載に限定されるものではなく、種々の変形及び改良が可能であることは、当業者には自明である。この開示の一部をなす論述及び図面は本発明を限定するものであると理解すべきではない。この開示から当業者には様々な代替実施形態、実施例及び運用技術が明らかとなろう。
【０１１３】
本発明はここでは記載していない様々な実施形態等を含むことは勿論である。したがって、本発明の技術的範囲は上記の説明から妥当な請求の範囲に係る発明特定事項によってのみ定められるものである。
【０１１４】
上述した実施形態で示した各機能は、１又は複数の処理回路により実装され得る。処理回路は、電気回路を含む処理装置等のプログラムされた処理装置を含む。処理装置は、また、実施形態に記載された機能を実行するようにアレンジされた特定用途向け集積回路（ＡＳＩＣ）や従来型の回路部品のような装置を含む。
【符号の説明】
【０１１５】
１  乗員支援装置
１０  取得部
２０  負荷評価部
３０  環境判定部
５０  疲労抑制部
５１  第１音波出力部
５３  第２音波出力部
９０  車載センサ
１００  処理部（コントローラ）
【図１】
2020008547.tif 000003
【図２】
2020008547.tif 000004
【図３】
2020008547.tif 000005
【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
車両に搭載され、前記車両の乗員の脳幹の活性化により前記乗員の疲労を抑制する疲労抑制部と、
前記疲労抑制部を制御するコントローラと、
を備える乗員支援装置における疲労抑制方法であって、
前記車両および前記車両の周囲状況に関する車両情報を取得し、
前記車両情報に基づき、前記車両の運動に合わせて身体の平衡感覚を保とうとする脳幹の働きによる脳の疲労が前記乗員に生じ易い状態であるか否かを判定し、
前記疲労が前記乗員に生じ易い状態であると判定された場合に、前記疲労抑制部を稼働させること
を特徴とする疲労抑制方法。
【請求項２】
請求項１に記載の疲労抑制方法であって、
所定時間以上継続して前記疲労が前記乗員に生じ易い状態であると判定された場合に、前記疲労抑制部を稼働させること
を特徴とする疲労抑制方法。
【請求項３】
請求項１又は２に記載の疲労抑制方法であって、
前記乗員の身体的負荷を評価し、
前記身体的負荷が所定負荷以上である場合に、前記疲労が前記乗員に生じ易い状態であると判定すること
を特徴とする疲労抑制方法。
【請求項４】
請求項３に記載の疲労抑制方法であって、
前記車両の移動速度が大きいほど、前記身体的負荷が大きいと評価すること
を特徴とする疲労抑制方法。
【請求項５】
請求項３又は４に記載の疲労抑制方法であって、
前記乗員支援装置は、前記車両の前方もしくは側方を撮像する撮像部を更に備え、
前記撮像部によって撮像した画像から、前記車両の前方もしくは側方の物体の移動速度を取得し、
前記車両の前方もしくは側方の物体の移動速度が大きいほど、前記身体的負荷が大きいと評価すること
を特徴とする疲労抑制方法。
【請求項６】
請求項３〜５のいずれか一項に記載の疲労抑制方法であって、
前記車両情報に基づいて、前記車両が走行している車線の車線幅を評価し、
評価した前記車線幅が狭いほど、前記身体的負荷が大きいと評価すること
を特徴とする疲労抑制方法。
【請求項７】
請求項６に記載の疲労抑制方法であって、
前記乗員支援装置は、道路情報として道路に対応した車線幅を少なくとも記憶する記憶部を更に備え、
前記車両情報に含まれる前記車両の位置情報に基づいて、前記車両が走行している前記道路を特定し、
前記記憶部を参照し、特定した前記道路に対応する前記道路情報を読み出すことで、前記車両が走行している前記車線の前記車線幅を取得すること
を特徴とする疲労抑制方法。
【請求項８】
請求項６に記載の疲労抑制方法であって、
前記車両と前記車両の側方の物体との間の距離を検出し、
検出した前記距離が小さいほど、前記車線幅が小さいと評価すること
を特徴とする疲労抑制方法。
【請求項９】
請求項３〜８のいずれか一項に記載の疲労抑制方法であって、
前記車両の外部の明度を検出し、
検出した前記明度が低いほど、前記身体的負荷が大きいと評価すること
を特徴とする疲労抑制方法。
【請求項１０】
請求項３〜９のいずれか一項に記載の疲労抑制方法であって、
前記車両が走行している車線の路面の滑りやすさを検出し、
前記路面が滑りやすいほど、前記身体的負荷が大きいと評価すること
を特徴とする疲労抑制方法。
【請求項１１】
請求項３〜１０のいずれか一項に記載の疲労抑制方法であって、
前記車両の前後方向、上下方向、左右方向の少なくとも一つの加速度を検出し、
検出した前記加速度が大きいほど、前記身体的負荷が大きいと評価すること
を特徴とする疲労抑制方法。
【請求項１２】
請求項３〜１１のいずれか一項に記載の疲労抑制方法であって、
前記車両が備える車輪の転舵角の変化速度を検出し、
検出した前記変化速度が大きいほど、前記身体的負荷が大きいと評価すること
を特徴とする疲労抑制方法。
【請求項１３】
請求項１〜１２のいずれか一項に記載の疲労抑制方法であって、
前記疲労抑制部は、人間の可聴音域よりも高い周波数の第１音波を前記乗員に対して出力する第１音波出力部を備え、
前記疲労抑制部により、前記第１音波を前記乗員に対して出力することで、前記乗員の脳幹の活性化を行うこと
を特徴とする疲労抑制方法。
【請求項１４】
請求項１３に記載の疲労抑制方法であって、
前記疲労抑制部は、更に、前記第１音波よりも低い周波数の第２音波を前記乗員に対して出力する第２音波出力部を備え、
前記疲労抑制部により、前記第１音波と前記第２音波を同時に前記乗員に対して出力することで、前記乗員の脳幹の活性化を行うこと
を特徴とする疲労抑制方法。
【請求項１５】
車両に搭載され、前記車両の乗員の脳幹の活性化により前記乗員の疲労を抑制する疲労抑制部と、
前記疲労抑制部を制御するコントローラと、
を備える乗員支援装置であって、
前記コントローラは、
前記車両および前記車両の周囲状況に関する車両情報を取得し、
前記車両情報に基づき、前記車両の運動に合わせて身体の平衡感覚を保とうとする脳幹の働きによる脳の疲労が前記乗員に生じ易い状態であるか否かを判定し、
前記疲労が前記乗員に生じ易い状態であると判定された場合に、前記疲労抑制部を稼働させること
を特徴とする乗員支援装置。
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
車両に搭載され、前記車両の乗員の脳幹の活性化により前記乗員の疲労を抑制する疲労抑制部と、
前記疲労抑制部を制御するコントローラと、
を備える乗員支援装置における疲労抑制方法であって、
前記車両および前記車両の周囲状況に関する車両情報を取得し、
前記車両情報に基づき、前記車両の運動に合わせて身体の平衡感覚を保とうとする脳幹の働きによる脳の疲労が前記乗員に生じ易い状態であるか否かを判定し、
前記疲労が前記乗員に生じ易い状態であると判定された場合に、前記疲労抑制部を稼働させると共に、
前記疲労が前記乗員に生じ易い状態であると判定されない場合に、前記疲労抑制部を停止させること
を特徴とする疲労抑制方法。
【請求項２】
請求項１に記載の疲労抑制方法であって、
所定時間以上継続して前記疲労が前記乗員に生じ易い状態であると判定された場合に、前記疲労抑制部を稼働させると共に、
前記所定時間以上継続して前記疲労が前記乗員に生じ易い状態であると判定されない場合に、前記疲労抑制部を停止させること
を特徴とする疲労抑制方法。
【請求項３】
請求項１又は２に記載の疲労抑制方法であって、
前記乗員の身体的負荷を評価し、
前記身体的負荷が所定負荷以上である場合に、前記疲労が前記乗員に生じ易い状態であると判定すること
を特徴とする疲労抑制方法。
【請求項４】
請求項３に記載の疲労抑制方法であって、
前記車両の移動速度が大きいほど、前記身体的負荷が大きいと評価すること
を特徴とする疲労抑制方法。
【請求項５】
請求項３又は４に記載の疲労抑制方法であって、
前記乗員支援装置は、前記車両の前方もしくは側方を撮像する撮像部を更に備え、
前記撮像部によって撮像した画像から、前記車両の前方もしくは側方の物体の移動速度を取得し、
前記車両の前方もしくは側方の物体の移動速度が大きいほど、前記身体的負荷が大きいと評価すること
を特徴とする疲労抑制方法。
【請求項６】
請求項３〜５のいずれか一項に記載の疲労抑制方法であって、
前記車両情報に基づいて、前記車両が走行している車線の車線幅を評価し、
評価した前記車線幅が狭いほど、前記身体的負荷が大きいと評価すること
を特徴とする疲労抑制方法。
【請求項７】
請求項６に記載の疲労抑制方法であって、
前記乗員支援装置は、道路情報として道路に対応した車線幅を少なくとも記憶する記憶部を更に備え、
前記車両情報に含まれる前記車両の位置情報に基づいて、前記車両が走行している前記道路を特定し、
前記記憶部を参照し、特定した前記道路に対応する前記道路情報を読み出すことで、前記車両が走行している前記車線の前記車線幅を取得すること
を特徴とする疲労抑制方法。
【請求項８】
請求項６に記載の疲労抑制方法であって、
前記車両と前記車両の側方の物体との間の距離を検出し、
検出した前記距離が小さいほど、前記車線幅が小さいと評価すること
を特徴とする疲労抑制方法。
【請求項９】
請求項３〜８のいずれか一項に記載の疲労抑制方法であって、
前記車両の外部の明度を検出し、
検出した前記明度が低いほど、前記身体的負荷が大きいと評価すること
を特徴とする疲労抑制方法。
【請求項１０】
請求項３〜９のいずれか一項に記載の疲労抑制方法であって、
前記車両が走行している車線の路面の滑りやすさを検出し、
前記路面が滑りやすいほど、前記身体的負荷が大きいと評価すること
を特徴とする疲労抑制方法。
【請求項１１】
請求項３〜１０のいずれか一項に記載の疲労抑制方法であって、
前記車両の前後方向、上下方向、左右方向の少なくとも一つの加速度を検出し、
検出した前記加速度が大きいほど、前記身体的負荷が大きいと評価すること
を特徴とする疲労抑制方法。
【請求項１２】
請求項３〜１１のいずれか一項に記載の疲労抑制方法であって、
前記車両が備える車輪の転舵角の変化速度を検出し、
検出した前記変化速度が大きいほど、前記身体的負荷が大きいと評価すること
を特徴とする疲労抑制方法。
【請求項１３】
請求項１〜１２のいずれか一項に記載の疲労抑制方法であって、
前記疲労抑制部は、人間の可聴音域よりも高い周波数の第１音波を前記乗員に対して出力する第１音波出力部を備え、
前記疲労抑制部により、前記第１音波を前記乗員に対して出力することで、前記乗員の脳幹の活性化を行うこと
を特徴とする疲労抑制方法。
【請求項１４】
請求項１３に記載の疲労抑制方法であって、
前記疲労抑制部は、更に、前記第１音波よりも低い周波数の第２音波を前記乗員に対して出力する第２音波出力部を備え、
前記疲労抑制部により、前記第１音波と前記第２音波を同時に前記乗員に対して出力することで、前記乗員の脳幹の活性化を行うこと
を特徴とする疲労抑制方法。
【請求項１５】
車両に搭載され、前記車両の乗員の脳幹の活性化により前記乗員の疲労を抑制する疲労抑制部と、
前記疲労抑制部を制御するコントローラと、
を備える乗員支援装置であって、
前記コントローラは、
前記車両および前記車両の周囲状況に関する車両情報を取得し、
前記車両情報に基づき、前記車両の運動に合わせて身体の平衡感覚を保とうとする脳幹の働きによる脳の疲労が前記乗員に生じ易い状態であるか否かを判定し、
前記疲労が前記乗員に生じ易い状態であると判定された場合に、前記疲労抑制部を稼働させると共に、
前記疲労が前記乗員に生じ易い状態であると判定されない場合に、前記疲労抑制部を停止させること
を特徴とする乗員支援装置。
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
車両に搭載され、前記車両の乗員の脳幹の活性化により前記乗員の疲労を抑制する疲労抑制部と、
前記疲労抑制部を制御するコントローラと、
を備える乗員支援装置における疲労抑制方法であって、
前記車両および前記車両の周囲状況に関する車両情報を取得し、
前記車両情報に基づき、前記車両の運動に合わせて身体の平衡感覚を保とうとする脳幹の働きによる脳の疲労が前記乗員に生じ易い状態であるか否かを判定し、
前記疲労が前記乗員に生じ易い状態が所定時間以上継続していると判定された場合に、前記疲労抑制部を稼働させると共に、
前記疲労が前記乗員に生じ易い状態が前記所定時間以上継続していると判定されない場合に、前記疲労抑制部を稼働させないこと
を特徴とする疲労抑制方法。
【請求項２】
請求項１に記載の疲労抑制方法であって、
前記乗員の身体的負荷を評価し、
前記身体的負荷が所定負荷以上である場合に、前記疲労が前記乗員に生じ易い状態であると判定すること
を特徴とする疲労抑制方法。
【請求項３】
請求項２に記載の疲労抑制方法であって、
前記車両の移動速度が大きいほど、前記身体的負荷が大きいと評価すること
を特徴とする疲労抑制方法。
【請求項４】
請求項２又は３に記載の疲労抑制方法であって、
前記乗員支援装置は、前記車両の前方もしくは側方を撮像する撮像部を更に備え、
前記撮像部によって撮像した画像から、前記車両の前方もしくは側方の物体の移動速度を取得し、
前記車両の前方もしくは側方の物体の移動速度が大きいほど、前記身体的負荷が大きいと評価すること
を特徴とする疲労抑制方法。
【請求項５】
請求項２〜４のいずれか一項に記載の疲労抑制方法であって、
前記車両情報に基づいて、前記車両が走行している車線の車線幅を評価し、
評価した前記車線幅が狭いほど、前記身体的負荷が大きいと評価すること
を特徴とする疲労抑制方法。
【請求項６】
請求項５に記載の疲労抑制方法であって、
前記乗員支援装置は、道路情報として道路に対応した車線幅を少なくとも記憶する記憶部を更に備え、
前記車両情報に含まれる前記車両の位置情報に基づいて、前記車両が走行している前記道路を特定し、
前記記憶部を参照し、特定した前記道路に対応する前記道路情報を読み出すことで、前記車両が走行している前記車線の前記車線幅を取得すること
を特徴とする疲労抑制方法。
【請求項７】
請求項５に記載の疲労抑制方法であって、
前記車両と前記車両の側方の物体との間の距離を検出し、
検出した前記距離が小さいほど、前記車線幅が小さいと評価すること
を特徴とする疲労抑制方法。
【請求項８】
請求項２〜７のいずれか一項に記載の疲労抑制方法であって、
前記車両の外部の明度を検出し、
検出した前記明度が低いほど、前記身体的負荷が大きいと評価すること
を特徴とする疲労抑制方法。
【請求項９】
請求項２〜８のいずれか一項に記載の疲労抑制方法であって、
前記車両が走行している車線の路面の滑りやすさを検出し、
前記路面が滑りやすいほど、前記身体的負荷が大きいと評価すること
を特徴とする疲労抑制方法。
【請求項１０】
請求項２〜９のいずれか一項に記載の疲労抑制方法であって、
前記車両の前後方向、上下方向、左右方向の少なくとも一つの加速度を検出し、
検出した前記加速度が大きいほど、前記身体的負荷が大きいと評価すること
を特徴とする疲労抑制方法。
【請求項１１】
請求項２〜１０のいずれか一項に記載の疲労抑制方法であって、
前記車両が備える車輪の転舵角の変化速度を検出し、
検出した前記変化速度が大きいほど、前記身体的負荷が大きいと評価すること
を特徴とする疲労抑制方法。
【請求項１２】
請求項１〜１１のいずれか一項に記載の疲労抑制方法であって、
前記疲労抑制部は、人間の可聴音域よりも高い周波数の第１音波を前記乗員に対して出力する第１音波出力部を備え、
前記疲労抑制部により、前記第１音波を前記乗員に対して出力することで、前記乗員の脳幹の活性化を行うこと
を特徴とする疲労抑制方法。
【請求項１３】
請求項１２に記載の疲労抑制方法であって、
前記疲労抑制部は、更に、前記第１音波よりも低い周波数の第２音波を前記乗員に対して出力する第２音波出力部を備え、
前記疲労抑制部により、前記第１音波と前記第２音波を同時に前記乗員に対して出力することで、前記乗員の脳幹の活性化を行うこと
を特徴とする疲労抑制方法。
【請求項１４】
車両に搭載され、前記車両の乗員の脳幹の活性化により前記乗員の疲労を抑制する疲労抑制部と、
前記疲労抑制部を制御するコントローラと、
を備える乗員支援装置であって、
前記コントローラは、
前記車両および前記車両の周囲状況に関する車両情報を取得し、
前記車両情報に基づき、前記車両の運動に合わせて身体の平衡感覚を保とうとする脳幹の働きによる脳の疲労が前記乗員に生じ易い状態であるか否かを判定し、
前記疲労が前記乗員に生じ易い状態が所定時間以上継続していると判定された場合に、前記疲労抑制部を稼働させると共に、
前記疲労が前記乗員に生じ易い状態が前記所定時間以上継続していると判定されない場合に、前記疲労抑制部を稼働させないこと
を特徴とする乗員支援装置。
【国際調査報告】
2020008547.tif 000006
2020008547.tif 000007
2020008547.tif 000008
2020008547.tif 000009